(57)【要約】【課題】錠剤ケースと飲料ボトルを一緒に持ち運んでも鞄の中が乱雑にはならず、常に錠剤ケースと飲料ボトルを同時に手にすることができる錠剤ケースを提供することである。【解決手段】胴部１４の上端に、上方になだらかに縮径する肩部１３を介して、外周面に螺条を刻設した円筒状の口筒部を起立連設し、該口筒部の外周面に螺合したキャップ１１を有する合成樹脂製壜体に組み付く錠剤ケースであって、該錠剤ケース１は、錠剤を収納するためのケース部２と該キャップ１１に着脱自在に装着されるオーバーキャップ７を備え、該オーバーキャップ７は、そのオーバーキャップ胴部７Ｂの内周面に該キャップ１１を係止する係止手段８を形成していることを特徴とする錠剤ケース。【選択図】図１
2016124564.tif 000002
【特許請求の範囲】
【請求項１】
胴部１４の上端に、上方になだらかに縮径する肩部１３を介して、外周面に螺条を刻設した円筒状の口筒部を起立連設し、該口筒部の外周面に螺合したキャップ１１を有する合成樹脂製壜体に組み付く錠剤ケースであって、
該錠剤ケース１は、錠剤を収納するためのケース部２と該キャップ１１に着脱自在に装着されるオーバーキャップ７を備え、
該オーバーキャップ７は、そのオーバーキャップ胴部７Ｂの内周面に該キャップ１１を係止する係止手段８を形成している
ことを特徴とする錠剤ケース。
【請求項２】
前記係止手段８が縦リブである請求項１に記載の錠剤ケース。
【請求項３】
前記キャップ１１に装着した前記錠剤ケース１の回動により、該キャップ１１が開栓又は閉栓される請求項１又は２に記載の錠剤ケース。
【請求項４】
前記ケース部２が３個形成されている請求項１〜３のいずれかに記載の錠剤ケース。
【請求項５】
前記ケース部２がヒンジ部６を介して上蓋４を外側に開口する際に指先を掛けるつまみ部５は、中央部が外側に向かって湾曲している請求項１〜４のいずれかに記載の錠剤ケース。
【請求項６】
前記錠剤ケース１が、透明又は半透明な合成樹脂材料で形成されている請求項１〜５のいずれかに記載の錠剤ケース。
【発明の詳細な説明】
【技術分野】
【０００１】
本発明は、医薬品やビタミン剤等の錠剤を収納する錠剤ケースであり、より詳しくは、錠剤の服用時に共に飲む水の飲料ボトルなどの壜体に組み付ける錠剤ケースに関する。
【背景技術】
【０００２】
従来より携帯用の錠剤ケースは数多くあり、１週間分の錠剤が入れられるもの、１日分の錠剤が入れられるもの、食事ごとの服用分が分けられて入れられるものなど多岐にわたる。錠剤を服用する際は、多くの場合に水と共に飲み込むため水が必要であるが、外出した時に水を携行していなかったり、周囲に水を飲む場所がない場合は水を飲む場所を探したり、水を販売している場所を探さなければならなかった。
【０００３】
そして錠剤ケースと飲料ボトルを鞄に入れて携行したとしても、比較的小さな錠剤ケースを鞄の中から探し出す煩わしさがあった。そのため、錠剤等を収納する収納部を具備した袋本体を飲料ボトルの首部に引っ掛ける掛止用袋体も開示されている（例えば、特許文献１参照）。しかしながら、例えば、１日分の３回分を一緒に携行する場合には、服用毎に袋本体から服用する錠剤を選択する必要があったり、一方、３回分の服用毎ごとに袋本体を用意すると携行する鞄の中も乱雑になったり服用時に袋本体が邪魔になる等の煩わしさを伴うものであった。
【先行技術文献】
【特許文献】
【０００４】
【特許文献１】特開２００６−２３２２８７号公報
【発明の概要】
【発明が解決しようとする課題】
【０００５】
本発明の目的は、上記課題を解決することであり、即ち、錠剤ケースと飲料ボトルを一緒に持ち運んでも鞄の中が乱雑にはならず、常に錠剤ケースと飲料ボトルを同時に手にすることができる錠剤ケースを提供することである。
【課題を解決するための手段】
【０００６】
上記課題の解決手段として、本発明に係る錠剤ケースは、
胴部の上端に、上方になだらかに縮径する肩部を介して、外周面に螺条を刻設した円筒状の口筒部を起立連設し、該口筒部の外周面に螺合したキャップを有する合成樹脂製壜体に組み付く錠剤ケースであって、
該錠剤ケースは、錠剤を収納するためのケース部と該キャップに着脱自在に装着されるオーバーキャップを備え、
該オーバーキャップは、そのオーバーキャップ胴部の内周面に該キャップを係止する係止手段を形成していることを特徴とする錠剤ケース。
【０００７】
この構成では、錠剤ケースのケース部が壜体のネックリングから肩部にかけての空いたスペースを利用しているため、外出時に持ち出す鞄の中などで嵩張ることがなく、錠剤ケースが邪魔になることもない。また、組み付いているので錠剤ケースと壜体が別々にならず鞄の中が乱雑になることはなく、常に錠剤ケースと壜体を同時に手にすることができるため、錠剤ケースを探す煩わしさはない。
【０００８】
また、本発明に係る別の錠剤ケースにおいて、係止手段が縦リブである。
【０００９】
上記構造では、係止手段が縦リブであるため、キャップの外周面に刻設されていることが多い滑り止めのローレット溝に嵌り、確実かつ強固に係止することが可能となる。
【００１０】
また、本発明に係る別の錠剤ケースにおいて、キャップに装着した錠剤ケースの回動により、キャップが開栓又は閉栓される。
【００１１】
上記構造では、キャップ回動中心から離れた位置となるオーバーキャップ胴部及びケース部を掴んで回動ができるため、小さい力でもキャップに対して大きな開閉栓力が作用され、子供や女性、高齢者や病人等の非力な者でも容易にキャップの開栓又は閉栓が達成される。
【００１２】
また、本発明に係る別の錠剤ケースにおいて、ケース部が３個形成されている。
【００１３】
上記構造では、ケース部が３個形成されているため、錠剤を１日分の朝昼夜の３回分を個別に収納することができる。
【００１４】
また、本発明に係る別の錠剤ケースにおいて、ケース部がヒンジ部を介して上蓋を外側に開口する際に指先を掛けるつまみ部は、中央部が外側に向かって湾曲している。
【００１５】
上記構造では、上蓋を外側に開口する際に指先を掛けるつまみ部の中央部が外側に向かって湾曲しているため、指先が掛り易くなり、また指が太い人でも指先を掛けることができる。
【００１６】
また、本発明に係る別の錠剤ケースにおいて、錠剤ケースが透明又は半透明な合成樹脂材料で形成されている。
【００１７】
上記構造では、錠剤ケースが透明又は半透明な合成樹脂材料で形成されているため、錠剤の存在が目に留まり、錠剤の服用を喚起することができ、服用の飲み忘れを抑制することができる。
【発明の効果】
【００１８】
本発明の上記した構成においては、以下に示す効果を奏する。
本発明では、錠剤ケースが壜体のネックリングから肩部にかけての空いたスペースを利用しているため、外出時に持ち出す鞄の中などで嵩張ることがなく、錠剤ケースが邪魔になることもない。また、組み付いているので錠剤ケースと壜体が別々になることはなく鞄の中が乱雑になることはなく、常に錠剤ケースと壜体とを同時に手にすることができるため、錠剤ケースを探す煩わしさも解消される。
【００１９】
また本発明では、キャップに装着した錠剤ケースの回動によってキャップが開栓又は閉栓するため、小さい力でもキャップに対して大きな開閉栓力が作用し、子供や女性、高齢者や病人等の非力な者でも容易にキャップの開栓又は閉栓が可能である。
【００２０】
更に本発明では、ケース部が３個形成されているため、錠剤を１日分の朝昼夜の３回分を個別に収納することができる。
【図面の簡単な説明】
【００２１】
【図１】本発明に係る錠剤ケースが壜体に組み付いた第１の実施形態を示す正面図である。
【図２】図１の錠剤ケースが壜体に組み付いた時の平面図（ａ）、要部部分断面の側面図（ｂ）である。
【図３】第１の実施形態の使用例における斜視図である。
【図４】第１の実施形態の使用例において、ケース部を開口した時の斜視図である。
【発明を実施するための形態】
【００２２】
以下、本発明にかかる実施の形態について図面を参照しつつ説明する。
【００２３】
図１は本発明に係る錠剤ケースが壜体に組み付いた第１の実施形態を示す正面図であり、図２は錠剤ケースが壜体に組み付いた時の（ａ）平面図と（ｂ）要部部分断面の側面図である。
【００２４】
図１〜図３に示される第１の実施形態で錠剤ケース１は、底部１５を有する円筒形状の水等の内容液を収容する壜体１０の胴部１４の上端に、上方になだらかに縮径する肩部１３を介して、外周面に螺条を刻設した円筒状の口筒部を起立連設し、該口筒部の外周面下端部に外鍔状のネックリング１２を周設した合成樹脂製の壜体１０に組み付くものである。口筒部にはキャップ１１が螺合している。
【００２５】
錠剤ケース１は、医薬品やビタミン剤等の錠剤を収納するためのケース部２を３個有し、該ケース部２を繋ぐ周壁３を形成し、その周壁３の上方にはキャップ１１を覆い隠すように着脱自在に装着されるオーバーキャップ７が一体に形成されている。周壁３は、ケース部２とケース部２の間にて内側に湾曲するコーナー部３Ａを有している。錠剤ケース１は、透明又は半透明な合成樹脂材料で形成されていると、錠剤の存在が目に留まり、錠剤の服用を喚起でき、飲み忘れ抑制の観点から好ましい。
【００２６】
錠剤を収納するケース部２には、蓋体となる上蓋４と該上蓋４を開口し易くするためのつまみ部５が形成されている。上蓋４はヒンジ部６を介してケース部２に連接される構造となっており、ケース部２に上蓋４をヒンジ部６により回動開閉可能に結合することができる。ケース部２は、錠剤を１日分の朝、昼、夜の３回に亘り個別に収納できるように３個、朝用ケース部２Ａ、昼用ケース部２Ｂ、夜用ケース部２Ｃの様に形成することが好ましい。また、上蓋４に、朝、昼、夜の服用分が判るように「あさ」、「ひる」、「よる」等と刻印を形成しても構わない。なお、上蓋４の下面には図４に示さるようなシール片４Ａが形成されており、上蓋４が閉鎖されている時にシール片４Ａがケース部２の端縁内周部に密着することになり、これにより密閉状態を安定して維持することができ、保管状態時に湿気による錠剤の変質を防止することができる。
【００２７】
オーバーキャップ７は、キャップ１１を覆い隠すように頂部に頂壁７Ａを有し、その頂壁７Ａから垂下したオーバーキャップ胴部７Ｂが設けられている。オーバーキャップ７は、オーバーキャップ胴部７Ｂの内周面にキャップ１１を係止する係止手段８を形成している。係止手段８としては、キャップ１１の外周面には滑り止めのローレット溝が刻設されている場合には、このローレット溝に嵌る縦リブを形成する方法やアンダーカットにより係止させる方法が挙げられる。
【００２８】
キャップ１１を装着した錠剤ケース１は、コーナー部３Ａを中心として周壁３に指先が掛るようにオーバーキャップ胴部７Ｂを手で掴ことによってオーバーキャップ胴部７Ｂは内側に締め付けられ係止手段８がキャップ１１を係止させ、ケース部２を指掛りとして錠剤ケース１を水道のハンドルを回すように回動させることによって、キャップ１１は開栓又は閉栓できる。オーバーキャップ胴部７Ｂを掴むことでキャップ回動中心から離れた位置にでき、小さい力でもキャップに対して大きな開閉栓力が作用されるため、子供や女性、高齢者や病人等の非力な者でも容易にキャップ１１の開栓又は閉栓が可能となる。
【００２９】
次に、錠剤ケース１の使用方法について図３及び図４を用いて説明する。
まず、水を収容した飲料ボトル等としてのＰＥＴボトルである合成樹脂製の壜体１０のキャップ１１に錠剤ケース１を組み付けて、図３に示されるような常に錠剤ケース１と壜体１０とを同時に手に取れる状態とする。
【００３０】
錠剤ケース１を壜体１０に組み付ける時は、錠剤ケース１を壜体１０のキャップ１１の上方から下方に押し込み、キャップ１１全体を覆うようにオーバーキャップ７を装着する。この装着と同時に、オーバーキャップ胴部７Ｂの内周面では係止手段８によってキャップ１１を係止する。この係止は、錠剤ケース１が壜体１０のネックリング１２から肩部１３にかけての空いたスペースを利用しているため、外出時に持ち出す鞄の中などで嵩張ることがない。また、組み付けることで錠剤ケース１と壜体１０が別々になることはなく鞄の中が乱雑になることはない。
【００３１】
錠剤をケース部２から取り出す際は、上蓋４のキャップ１１側の配置されたつまみ部５に指先を掛けて押し上げ、ヒンジ部６を支点として上蓋４が外側に向かって開口する（図４参照）。この上蓋４が外側に向かって開口することによって、仮に上蓋４の開口状態であってもキャップ１１の開栓動作が容易である。この実施形態でのつまみ部５は、指先の掛り易さやキャップ１１とつまみ部５の間に指が太い人でも指先が掛るように、中央部が外側に向かって湾曲して形成されている。
【００３２】
ケース部２の開口後は、壜体１０と共にケース部２を傾けて錠剤をケース部２から取り出す。その後は、オーバーキャップ胴部７Ｂを手で掴みオーバーキャップ胴部７Ｂを握り締めて係止手段８でキャップ１１を確実かつ強固に係止させ、ケース部２を指掛りとして錠剤ケース１を回動させてキャップ１１を開栓し、錠剤と水を共に服用することができる。
【００３３】
また、本発明の錠剤ケースの別の実施形態として、ケース部２とオーバーキャップ７の２つの部材として形成し、これら２つの部材を組み合わせてキャップ１１に配置し、上蓋４が内側に向かって開口する構造としても構わない。この上蓋４が内側に向かって開口することによって、壜体１０を傾けただけで錠剤をスムーズに取り出すことが可能である。
【００３４】
この別の実施形態においては、つまみ部５の替りにケース部２の外周面に指を掛けるための切欠き部を形成することができる。切欠き部に指先で最も力を掛けられる親指にて押し上げ易いため、力の弱い高齢者でも開口可能である。また、切欠き部に指の腹を置いて上蓋４を押し上げられるので、指先の爪にネイルを施しているような爪先を気にする女性においても開口できる。
【００３５】
以上、実施形態に沿って本発明の構成とその作用効果について説明したが、本発明の実施の形態は上記実施形態に限定されるものではない。
【００３６】
上記実施形態では、壜体１０が丸型形状のものを説明したが、本発明はこれに限られるものではなく、壜体１０の形状は肩部１３が丸型形状で錠剤ケース１が回動可能であれば胴部１４は角型形状のものであっても構わない。また、ケース部２は、３個に限定されるものではない。
【００３７】
また、上記実施形態では、オーバーキャップ７がキャップ１１全体を覆っているが、キャップ１１の頂壁や外周面が一部露出していても構わない。
【産業上の利用可能性】
【００３８】
以上説明したように、本発明の錠剤ケースは、常に錠剤ケースと壜体とを同時に手にすることができるため錠剤ケースの分野における用途展開を更に広い領域で図ることができる。
【符号の説明】
【００３９】
１    ；錠剤ケース
２、２Ａ、２Ｂ、２Ｃ    ；ケース部
３    ；周壁
３Ａ  ；コーナー部
４    ；上蓋
４Ａ  ；シール片
５    ；つまみ部
６    ；ヒンジ
７    ；オーバーキャップ
７Ａ  ；頂壁
７Ｂ  ；オーバーキャップ胴部
８    ；係止手段
１０  ；壜体
１１  ；キャップ
１２  ；ネックリング
１３  ；肩部
１４  ；胴部
１５  ；底部
【図１】
2016124564.tif 000003
【図２】
2016124564.tif 000004
【図３】
2016124564.tif 000005
【図４】
2016124564.tif 000006